(57)【要約】      （修正有）【課題】チェーンパイプの開口部からの浸水を抑制するチェーンパイプカバーを提供する。【解決手段】チェーンパイプカバーは、内部をアンカーチェーンＡＣが通るチェーンパイプＣＰの上端開口部の一部を覆う第１のカバー部２０ａと、チェーンパイプＣＰに固定され、第１のカバー部２０ａを上方向に開くように回転可能に支持する第１の回転支持部３０ａと、アンカーチェーンＡＣを挟んで第１のカバー部２０ａの反対の側に位置し、上端開口部の一部を覆う第２のカバー部２０ｂと、チェーンパイプＣＰに固定され、第２のカバー部２０ｂを上方向に開くように回転可能に支持する第２の回転支持部と、第１のカバー部２０ａと第２のカバー部２０ｂとを互いに締結する留め金部４０ａ、４０ｂと、を備える。【選択図】図１
0003213762.tif 000002
【実用新案登録請求の範囲】
【請求項１】
内部をアンカーチェーンが通るチェーンパイプの上端開口部の一部を覆う第１のカバー部と、
前記チェーンパイプに固定され、前記第１のカバー部を上方向に開くように回転可能に支持する第１の回転支持部と、
前記アンカーチェーンを挟んで前記第１のカバー部の反対の側に位置し、前記上端開口部の一部を覆う第２のカバー部と、
前記チェーンパイプに固定され、前記第２のカバー部を上方向に開くように回転可能に支持する第２の回転支持部と、
前記第１のカバー部と前記第２のカバー部とを互いに締結する留め金部と、を備えたチェーンパイプカバー。
【請求項２】
内部をアンカーチェーンが通るチェーンパイプに設けられた第１の固定部に固定され、該チェーンパイプの上端開口部の一部を覆う第１のカバー部と、
前記アンカーチェーンを挟んで前記第１のカバー部の反対の側に位置し、前記チェーンパイプに設けられた第２の固定部に固定され、前記上端開口部の一部を覆う第２のカバー部と、
前記第１のカバー部に設けられ、該第１のカバー部と前記第２のカバー部とを互いに締結する留め金部と、を備え、
前記第１のカバー部及び前記第２のカバー部がそれぞれ前記チェーンパイプの径方向にスライドすることにより、前記チェーンパイプの上端開口部を開閉できるチェーンパイプカバー。
【請求項３】
請求項１又は２記載のチェーンパイプカバーであって、
前記第１のカバー部に、半円筒状の第１の半円筒部が設けられ、
前記第２のカバー部に、前記第１の半円筒部と組み合わされる半円筒状の第２の半円筒部が設けられ、
前記第１のカバー部及び前記第２のカバー部が前記チェーンパイプの上端開口部を閉じると、前記第１の半円筒部と前記第２の半円筒部とによって、前記アンカーチェーンの周囲を覆う円筒部が形成されるチェーンパイプカバー。
【請求項４】
請求項３記載のチェーンパイプカバーであって、
前記留め金部が、スナップ錠であるチェーンパイプカバー。
【請求項５】
請求項４記載のチェーンパイプカバーであって、
前記第１の半円筒部、前記第２の半円筒部、及び前記アンカーチェーンを包むように巻かれ、前記アンカーチェーンと前記円筒部との隙間を覆う布地のカバーを更に備えたチェーンパイプカバー。
【考案の詳細な説明】
【技術分野】
【０００１】
本考案は、船舶のチェーンパイプを覆うチェーンパイプカバーに関する。
【背景技術】
【０００２】
特許文献１には、船舶の暴露甲板下でチェーンロッカーと接続し、暴露甲板上に突設するチェーンパイプの暴露部のカバーであって、着脱が容易で、アンカーチェーンのリングの向きに対応して挾着高さを調整でき、かつ、風雨密性の向上が図れる風雨密性チェーンパイプカバーが記載されている。
このチェーンパイプカバーは、円形を中央二分割して形成する半円形のチェーンパイプカバーを二枚一組で設け、該チェーンパイプカバーの分割境界部の各一端をヒンジで水平方向に回動自在に連結し、該チェーンパイプカバーの分割境界部の各他端に締着用のボルト、ナットを設けて、該ヒンジは該チェーンパイプ外側面に突設する支柱の上部に設ける螺刻部に二個のナットで挾んで締着し、該チェーンパイプカバーの分割境界部および該チェーンパイプ上縁部と近接する該チェーンパイプカバー内周面とに挾着ゴム材を貼設し、二枚のチェーンパイプカバーの閉鎖時に分割境界部間にアンカーチェーンを挾着して風雨密性を保持することを特徴としている。
【先行技術文献】
【特許文献】
【０００３】
【特許文献１】実用新案登録第２５０２３５３号公報
【考案の概要】
【考案が解決しようとする課題】
【０００４】
アンカーチェーンは、船舶の係船時又は錨泊時に使用され、揚錨機にて巻き上げ及び巻き下ろしが行われる。アンカーチェーンは、揚錨機下部にあるチェーンパイプを通って延び、航行中は錨鎖倉庫に格納されている。
ところが、荒天の中を航海する際には、波浪の打ち込みによりチェーンパイプから水が入り、錨鎖倉庫が浸水する場合がある。
本考案は、チェーンパイプの開口部からの浸水を抑制するチェーンパイプカバーを提供することを目的とする。
【課題を解決するための手段】
【０００５】
前記目的に沿う本考案に係るチェーンパイプカバーは、内部をアンカーチェーンが通るチェーンパイプの上端開口部の一部を覆う第１のカバー部と、
前記チェーンパイプに固定され、前記第１のカバー部を上方向に開くように回転可能に支持する第１の回転支持部と、
前記アンカーチェーンを挟んで前記第１のカバー部の反対の側に位置し、前記上端開口部の一部を覆う第２のカバー部と、
前記チェーンパイプに固定され、前記第２のカバー部を上方向に開くように回転可能に支持する第２の回転支持部と、
前記第１のカバー部と前記第２のカバー部とを互いに締結する留め金部と、を備える。
【０００６】
前記目的に沿う本考案に係るチェーンパイプカバーは、内部をアンカーチェーンが通るチェーンパイプに設けられた第１の固定部に固定され、該チェーンパイプの上端開口部の一部を覆う第１のカバー部と、
前記アンカーチェーンを挟んで前記第１のカバー部の反対の側に位置し、前記チェーンパイプに設けられた第２の固定部に固定され、前記上端開口部の一部を覆う第２のカバー部と、
前記第１のカバー部に設けられ、該第１のカバー部と前記第２のカバー部とを互いに締結する留め金部と、を備え、
前記第１のカバー部及び前記第２のカバー部がそれぞれ前記チェーンパイプの径方向にスライドすることにより、前記チェーンパイプの上端開口部を開閉できる。
【０００７】
本考案に係るチェーンパイプカバーにおいて、前記第１のカバー部に、半円筒状の第１の半円筒部が設けられ、
前記第２のカバー部に、前記第１の半円筒部と組み合わされる半円筒状の第２の半円筒部が設けられ、
前記第１のカバー部及び前記第２のカバー部が前記チェーンパイプの上端開口部を閉じると、前記第１の半円筒部と前記第２の半円筒部とによって、前記アンカーチェーンの周囲を覆う円筒部が形成されることが好ましい。
【０００８】
本考案に係るチェーンパイプカバーにおいて、前記留め金部が、スナップ錠であることが好ましい。
【０００９】
本考案に係るチェーンパイプカバーにおいて、前記第１の半円筒部、前記第２の半円筒部、及び前記アンカーチェーンを包むように巻かれ、前記アンカーチェーンと前記円筒部との隙間を覆う布地のカバーを更に備えることが好ましい。
【考案の効果】
【００１０】
本考案によれば、チェーンパイプの開口部からの浸水を抑制するチェーンパイプカバーを提供できる。
【図面の簡単な説明】
【００１１】
【図１】（Ａ）、（Ｂ）は、それぞれ、本考案の第１の実施の形態に係るチェーンパイプカバーが備える第１のカバー部及び第２のカバー部を開いた状態及び閉じた状態を示す外観図である。
【図２】同チェーンパイプカバーがチェーンパイプを覆った状態を示す外観図である。
【図３】（Ａ）、（Ｂ）は、それぞれ、第１のキャンバスカバー部及び第２のキャンバスカバー部の説明図である。
【図４】（Ａ）、（Ｂ）は、それぞれ、本考案の第２の実施の形態に係るチェーンパイプカバーが備える第１のカバー部及び第２のカバー部を開いた状態及び閉じた状態を示す外観図である。
【図５】同チェーンパイプカバーがチェーンパイプを覆った状態を示す外観図である。
【考案を実施するための形態】
【００１２】
続いて、添付した図面を参照しつつ、本考案を具体化した実施の形態につき説明し、本考案の理解に供する。なお、図において、説明に関連しない部分は図示を省略する場合がある。
【００１３】
〔第１の実施の形態〕
本考案の第１の実施の形態に係るチェーンパイプカバー１０（図２参照）は、図１（Ａ）及び図１（Ｂ）に示すように、内部をアンカーチェーンＡＣが通るチェーンパイプＣＰに取り付けられ、チェーンパイプＣＰの上端開口部の一部（平面視してアンカーチェーンＡＣ及びその周囲を除く部分）を覆うことができる。
チェーンパイプカバー１０は、第１のカバー部２０ａ、第１の回転支持部３０ａ、第２のカバー部２０ｂ、第２の回転支持部（不図示）、留め金部４０ａ、４０ｂ、及びキャンバスカバー５０（図２参照）を備えている。
【００１４】
第１のカバー部２０ａは、図１（Ａ）及び図１（Ｂ）に示すように、第１の覆い部２０２ａ及び第１の半円筒部２０４ａを有し、チェーンパイプＣＰの上端開口部の一部を覆うことができる。
第１の覆い部２０２ａは、チェーンパイプＣＰの上端部の上に載り、平面視して、チェーンパイプＣＰの上端開口部のアンカーチェーンＡＣが通る中央部を除く右側を覆うことができる。第１の覆い部２０２ａの上面には、固定具２０３ａが設けられている。
第１の半円筒部２０４ａは、図１（Ｂ）に示すように、第１の覆い部２０２ａから上方に突出する半円筒状の部材であり、チェーンパイプＣＰから延びるアンカーチェーンＡＣの右側を覆うことができる。第１の半円筒部２０４ａの下側半分の表面には面ファスナー２０５ａが接着されている。
【００１５】
第１の回転支持部３０ａは、第１の覆い部２０２ａ及びチェーンパイプＣＰに固定され、第１のカバー部２０ａを上方向に開くように回転可能に支持できる。第１の回転支持部３０ａは、例えばヒンジである。
【００１６】
第２のカバー部２０ｂは、第２の覆い部２０２ｂ及び第２の半円筒部２０４ｂを有し、第１のカバー部２０ａと組になってチェーンパイプＣＰの上端開口部の一部を覆うことができる。第２のカバー部２０ｂは、アンカーチェーンＡＣを挟んで第１のカバー部２０ａの反対の側に位置し、実質的に第１のカバー部２０ａと同一の外形状となっている。
第２の覆い部２０２ｂは、チェーンパイプＣＰの上端部の上に載り、平面視して、チェーンパイプＣＰの上端開口部のアンカーチェーンＡＣが通る中央部を除く左側を覆うことができる。第２の覆い部２０２ｂの上面には、固定具（不図示）が設けられている。
第２の半円筒部２０４ｂは、第２の覆い部２０２ｂから上方に突出する半円筒状の部材であり、チェーンパイプＣＰから延びるアンカーチェーンＡＣの左側を覆うことができる。第２の半円筒部２０４ｂの下側半分の表面には面ファスナー２０５ｂが接着されている。
【００１７】
第２の回転支持部（不図示）は、第２の覆い部２０２ｂ及びチェーンパイプＣＰに固定され、第２のカバー部２０ｂを上方向に開くように回転可能に支持できる。第２の回転支持部は、例えばヒンジである。
【００１８】
留め金部４０ａ、４０ｂは、第１のカバー部２０ａに設けられ、第１のカバー部２０ａと第２のカバー部２０ｂとを互いに締結できる。留め金部４０ａ、４０ｂは、それぞれ例えばスナップ錠である。
【００１９】
キャンバスカバー（布地のカバーの一例）５０は、キャンバス製のカバーである。キャンバスカバー５０は、図２に示すように、第１の半円筒部２０４ａ、第２の半円筒部２０４ｂ、及びアンカーチェーンＡＣを包むように巻かれ、アンカーチェーンＡＣと第１の半円筒部２０４ａ及び第２の半円筒部２０４ｂとの隙間を覆うことができる。
【００２０】
詳細には、キャンバスカバー５０は、図３（Ａ）及び図３（Ｂ）に示すように、第１のキャンバスカバー部５０ａ及び第２のキャンバスカバー部５０ｂを有している。
第１のキャンバスカバー部５０ａ及び第２のキャンバスカバー部５０ｂには、それぞれ面ファスナー５２ａ、５２ｂが設けられており、対応する面ファスナー５２ａ、５２ｂを用いて第１のキャンバスカバー部５０ａと第２のキャンバスカバー部５０ｂとが互いに結合され、一枚のキャンバスカバー５０が形成される。また、第１のキャンバスカバー部５０ａ及び第２のキャンバスカバー部５０ｂの裏面には、それぞれ面ファスナー５４ａ、５４ｂが設けられており、これらに対応する面ファスナー２０５ａ及び面ファスナー２０５ｂを用いて第１の半円筒部２０４ａ及び第２の半円筒部２０４ｂに結合される。
このように、キャンバスカバー５０が、第１のカバー部２０ａ及び第２のカバー部２０ｂにそれぞれ対応して第１のキャンバスカバー部５０ａ及び第２のキャンバスカバー部５０ｂに分割して構成されているので、第１のキャンバスカバー部５０ａと第２のキャンバスカバー部５０ｂとの結合を解くだけで第１のカバー部２０ａ及び第２のカバー部２０ｂを開くことができる。
なお、第２のキャンバスカバー部５０ｂの表面には、図３（Ｂ）に示すように、紐６０（図２参照）を通す紐通し５８が設けられている。
【００２１】
次に、チェーンパイプカバー１０の使用方法について説明する。
航海中、アンカーチェーンＡＣが固定されている状態においては、図１（Ｂ）に示すように、第１のカバー部２０ａ及び第２のカバー部２０ｂが閉じられ、留め金部４０ａ、４０ｂによって、第１のカバー部２０ａと第２のカバー部２０ｂとが互いに締結される。すなわち、第１の覆い部２０２ａ及び第２の覆い部２０２ｂがチェーンパイプＣＰの上端開口部を覆うとともに、第１の半円筒部２０４ａ及び第２の半円筒部２０４ｂがアンカーチェーンＡＣの周囲を覆う円筒部を形成する。更に、図２に示すように、キャンバスカバー５０がこの円筒部（第１の半円筒部２０４ａ及び第２の半円筒部２０４ｂ）及びアンカーチェーンＡＣを包むように巻かれる。その際、キャンバスカバー５０は、面ファスナー５４ａ、５４ｂ（図３参照）と対応する面ファスナー２０５ａ、２０５ｂ（図１（Ｂ）参照）を用いて第１の半円筒部２０４ａ及び第２の半円筒部２０４ｂに結合されるとともに、紐６０を紐通し５８及び固定具２０３ａを通して縛られる。
従って、チェーンパイプカバー１０によってチェーンパイプＣＰの開口部が覆われるので、チェーンパイプＣＰからの水の侵入が抑制される。
【００２２】
一方、アンカーチェーンＡＣを図１（Ａ）に示す矢印方向に動かす際には、まず、キャンバスカバー５０を縛っている紐６０（図２参照）を解き、続いて第１のキャンバスカバー部５０ａと第２のキャンバスカバー部５０ｂとの結合を解く。キャンバスカバー５０は、第１のキャンバスカバー部５０ａ及び第２のキャンバスカバー部５０ｂに分割され、それぞれ第１のカバー部２０ａ及び第２のカバー部２０ｂにのみ結合された状態となっている。
【００２３】
次に、留め金部４０ａ、４０ｂを開放し、第１のカバー部２０ａ及び第２のカバー部２０ｂをそれぞれ第１の回転支持部３０ａ及び第２の回転支持部（不図示）回りに回転させると、図１（Ａ）に示すように上方向に開く。その際、第１のカバー部２０ａ及び第２のカバー部２０ｂは、それぞれに第１のキャンバスカバー部５０ａ及び第２のキャンバスカバー部５０ｂが結合された状態で開くことができる。
従って、第１のカバー部２０ａ及び第２のカバー部２０ｂが上方向に開くことにより、チェーンパイプＣＰの上端開口部が開き、チェーンパイプカバー１０がアンカーチェーンＡＣと干渉することが抑制される。
【００２４】
〔第２の実施の形態〕
続いて、本考案の第２の実施の形態に係るチェーンパイプカバー１００（図５参照）について説明する。第１の実施の形態に係るチェーンパイプカバー１０と同一の構成要素については、同じ符号を付して詳しい説明を省略する。
チェーンパイプカバー１００は、図４（Ａ）及び図４（Ｂ）に示すように、チェーンパイプＣＰに取り付けられ、チェーンパイプＣＰの上端開口部の一部（平面視してアンカーチェーンＡＣ及びその周囲を除く部分）を覆うことができる。
ここで、チェーンパイプＣＰには、外周面から径方向にそれぞれ第１の被取付部１１０ａ及び第２の被取付部１１０ｂが突出して延びている。第１の被取付部１１０ａ及び第２の被取付部１１０ｂには、それぞれ、チェーンパイプＣＰの径方向に延びる長孔Ｈ１、Ｈ２が形成されている。
【００２５】
チェーンパイプカバー１００は、第１のカバー部２０ａ、第１の取付部１２０ａ、第２のカバー部２０ｂ、第２の取付部（不図示）、留め金部４０ａ、４０ｂ、及びキャンバスカバー５０を備えている。
第１の取付部１２０ａは、第１のカバー部２０ａの端部に設けられている。第１の取付部１２０ａには、ボルトＢＬＴが下から通る孔が形成されている。このボルトＢＬＴは、第１の被取付部１１０ａに形成された長孔Ｈ１にも挿入され、対応する蝶ナットとともに、第１のカバー部２０ａを第１の被取付部１１０ａに固定できる。
【００２６】
第２の取付部（不図示）は、第２のカバー部２０ｂの端部であって、第１の取付部１２０ａとはチェーンパイプＣＰの中心部を挟んで反対側に設けれられている。第２の取付部には、ボルト（不図示）が下から通る孔が形成されている。このボルトは、第２の被取付部１１０ｂに形成された長孔Ｈ２にも挿入され、対応する蝶ナットとともに、第２のカバー部２０ｂを第２の被取付部１１０ｂに固定できる。
【００２７】
次に、チェーンパイプカバー１００の使用方法について説明する。
航海中、アンカーチェーンＡＣが固定されている状態においては、図４（Ｂ）に示すように、第１のカバー部２０ａ及び第２のカバー部２０ｂが閉じられ、留め金部４０ａ、４０ｂによって、第１のカバー部２０ａと第２のカバー部２０ｂとが互いに締結される。すなわち、第１の覆い部２０２ａ及び第２の覆い部２０２ｂがチェーンパイプＣＰの上端開口部を覆うとともに、第１の半円筒部２０４ａ及び第２の半円筒部２０４ｂがアンカーチェーンＡＣの周囲を覆う円筒部を形成する。更に、図５に示すように、キャンバスカバー５０がこの円筒部（第１のカバー部２０ａの第１の半円筒部２０４ａ及び第２のカバー部２０ｂの第２の半円筒部２０４ｂ）及びアンカーチェーンＡＣを包むように巻かれる。キャンバスカバー５０の巻き方は前述の通りである。
従って、チェーンパイプカバー１００によってチェーンパイプＣＰの開口部が覆われるので、チェーンパイプＣＰからの水の侵入が抑制される。
【００２８】
一方、アンカーチェーンＡＣを図４（Ａ）に示す矢印方向に動かす際には、まず、キャンバスカバー５０を縛っている紐６０（図５参照）を解き、続いて第１のキャンバスカバー部５０ａと第２のキャンバスカバー部５０ｂとの結合を解く。キャンバスカバー５０は、第１のキャンバスカバー部５０ａ及び第２のキャンバスカバー部５０ｂに分割され、それぞれ第１のカバー部２０ａ及び第２のカバー部２０ｂにのみ結合された状態となっている。
【００２９】
次に、留め金部４０ａ、４０ｂを開放し、第１の取付部１２０ａに挿入されているボルトＢＬＴ及び第２の取付部（不図示）に挿入されているボルト（不図示）を緩める。そうすると、第１の取付部１２０ａに挿入されているボルトＢＬＴ及び第２の取付部に挿入されているボルト（不図示）は、それぞれ、第１の被取付部１１０ａ及び第２の被取付部１１０ｂに形成された長孔Ｈ１、Ｈ１に沿って案内され、図４（Ａ）に示すように、第１のカバー部２０ａ及び第２のカバー部２０ｂをそれぞれチェーンパイプＣＰの外側に移動させることができる。その際、第１のカバー部２０ａ及び第２のカバー部２０ｂは、それぞれに第１のキャンバスカバー部５０ａ及び第２のキャンバスカバー部５０ｂが結合された状態で移動できる。
従って、第１のカバー部２０ａ及び第２のカバー部２０ｂがチェーンパイプＣＰの径方向外側にスライドすることにより、チェーンパイプＣＰの上端開口部が開き、チェーンパイプカバー１００がアンカーチェーンＡＣと干渉することが抑制される。
【００３０】
以上、本考案の実施の形態を説明したが、本考案は、上記した形態に限定されるものでなく、要旨を逸脱しない条件の変更等は全て本考案の適用範囲である。
【符号の説明】
【００３１】
１０  チェーンパイプカバー
２０ａ  第１のカバー部
２０ｂ  第２のカバー部
３０ａ  第１の回転支持部
４０ａ、４０ｂ  留め金部
５０  キャンバスカバー
５０ａ  第１のキャンバスカバー部
５０ｂ  第２のキャンバスカバー部
５２ａ、５２ｂ、５４ａ、５４ｂ  面ファスナー
５８  紐通し
６０  紐
１００  チェーンパイプカバー
１１０ａ  第１の被取付部
１１０ｂ  第２の被取付部
１２０ａ  第１の取付部
２０２ａ  第１の覆い部
２０２ｂ  第２の覆い部
２０３ａ  固定具
２０４ａ  第１の半円筒部
２０４ｂ  第２の半円筒部
２０５ａ、２０５ｂ  面ファスナー
ＡＣ  アンカーチェーン
ＢＬＴ  ボルト
ＣＰ  チェーンパイプ
Ｈ１、Ｈ２  長孔
【図１】
0003213762.tif 000003
【図２】
0003213762.tif 000004
【図３】
0003213762.tif 000005
【図４】
0003213762.tif 000006
【図５】
0003213762.tif 000007